(57)【要約】【課題】開封後に廃棄されることなく、商品を保持する補助具として再利用することができる商品包装袋を提供する。【解決手段】シート状の被収納物Ｐを封入するための開口部３を残して封鎖される袋本体２Ａと、開口部３を封緘する封緘部４とを備え、粘着部５を介して、封緘部４が袋本体２Ａへと着脱自在に貼着される商品包装袋１Ａには、粘着部５を含む一部を切り離して被収納物Ｐを保持可能な再利用シート部２Ａ’が含まれている。【選択図】図１
2015151145.tif 000002
【特許請求の範囲】
【請求項１】
表側フィルムと裏側フィルムとを有し、シート状の被収納物を封入するための開口部を残して封鎖される袋本体と、上記フィルムのうち一方のフィルムの開口端縁から延設され、他方のフィルム側へと折り畳まれて上記開口部を封緘する封緘部とを含み、上記封緘部が粘着部を介して上記袋本体に着脱自在に貼着される商品包装袋において、
上記商品包装袋には、上記粘着部を含む一部が切り離されてリング式ファイルへと取り付けられる再利用シート部が含まれており、
上記再利用シート部には、上記リング式ファイルのリングへと挿通可能な挿通部が形成されているとともに、
上記再利用シート部は、上記再利用シート部が上記リングファイルへと取り付けられた際に、上記粘着部を介して、上記被収納物を着脱自在に保持することを特徴とする商品包装袋。
【請求項２】
上記粘着部は上記袋本体に設けられており、上記再利用シート部は、同粘着部を含む上記袋本体の一部から切り離されることを特徴とする請求項１に記載の商品包装袋。
【請求項３】
上記粘着部は上記封緘部に設けられており、上記再利用シート部は、同粘着部を含む上記封緘部の一部から切り離されることを特徴とする請求項１に記載の商品包装袋。
【請求項４】
上記再利用シート部には、上記切り離された上記再利用シート部の一部をさらに展開するための切取り線が設けられていることを特徴とする請求項２に記載の商品包装袋。
【請求項５】
上記粘着部は、再剥離性を有する粘着剤からなることを特徴とする請求項１ないし４のいずれか１項に記載の商品包装袋。
【発明の詳細な説明】
【技術分野】
【０００１】
本発明は、例えばインデックスラベルなどのシート状に形成された被収納物を包装する商品包装袋に関し、さらに詳しく言えば、開封後に廃棄されることなく再利用することができる商品包装袋に関する。
【背景技術】
【０００２】
例えばインデックスラベルは、表面に剥離処理が施されたベースシートの上に、複数のインデックスラベルを規則的に配置した１枚のシート体として提供され、そのシート体を複数枚重ね合わせた状態で商品包装袋に封入されて出荷される。
【０００３】
このような商品包装袋は、例えば特許文献１（特に図４参照）に示すように、スリーブ状に形成された透明な樹脂製フィルムの上端をヒートシール等によって封口し、下端を開口することにより袋状に形成されている。
【０００４】
そして、開口部から商品を挿入して、開口部から下方に向けて延設された封緘部を開口部側に折り返し、粘着部を介して固定することにより、袋体の内部に商品が封入される。
【０００５】
通常、このような商品包装袋は、被収納物である商品の保存袋として利用され、商品を使い切ったときには廃棄され、開封済みの商品包装袋を再利用することは特に行われていない。
【先行技術文献】
【特許文献】
【０００６】
【特許文献１】実開平−２６３６８号公報
【発明の概要】
【発明が解決しようとする課題】
【０００７】
ところで、インデックスラベルなどの商品は、ノートや書類等の索引用の目印等として使用されるが、最近では会社の会議や学校の授業など幅広い範囲で多用されており、バインダーやスケジュール帳などのリング式ファイルのポケットに保管して持ち歩くこともある。
【０００８】
しかしながら、インデックスラベルなどの商品は薄いベースシートに配置された状態で提供されているため、バインダーやスケジュール帳などのリング式ファイルのポケットから脱落することが多く、必要なときに使用することができないことがあった。
【０００９】
そこで、本発明の課題は、携帯しても商品を脱落させることなく、インデックスラベルなどの被収納物を保管できる補助具として再利用可能な商品包装袋を提供することにある。
【課題を解決するための手段】
【００１０】
上述した課題を達成するため、本発明は、表側フィルムと裏側フィルムとを有し、シート状の被収納物を封入するための開口部を残して封鎖される袋本体と、上記フィルムのうち一方のフィルムの開口端縁から延設され、他方のフィルム側へと折り畳まれて上記開口部を封緘する封緘部とを含み、上記封緘部が粘着部を介して上記袋本体に着脱自在に貼着される商品包装袋において、上記商品包装袋には、上記粘着部を含む一部が切り離されてリング式ファイルへと取り付けられる再利用シート部が含まれており、上記再利用シート部には、上記リング式ファイルのリングへと挿通可能な挿通部が形成されているとともに、上記再利用シート部は、上記再利用シート部が上記リングファイルへと取り付けられた際に、上記粘着部を介して、上記被収納物を着脱自在に保持することを特徴としている。
【００１１】
本発明において、上記粘着部を上記袋本体に設け、上記再利用シート部を同粘着部を含む上記袋本体の一部から切り離すとよい。
【００１２】
また、本発明において、上記粘着部を上記封緘部に設け、上記再利用シート部を同粘着部を含む上記封緘部の一部から切り離してもよく、この場合には、切り離された上記再利用シート部の一部をさらに展開するための切取り線を設けてもよい。
【００１３】
さらに、本発明において、上記粘着部を再剥離性を有する粘着剤とするとよい。
【発明の効果】
【００１４】
本発明によれば、粘着部を含む商品包装袋の一部を、商品包装袋内の被収納物を保持可能な再利用シート部を含ませたことにより、商品包装袋の開封前には袋本体と封緘部との封止部材であった粘着部を、開封後には被収納物を保持する補助部材として再利用し、商品開封後の商品包装袋を破棄することなく有効に活用することができる。
【００１５】
また、再利用シート部は、リング式ファイルのリングへと挿通可能なリング孔などの挿通部を介して確実に取り付けられるため、再利用シート部がリング式ファイルから脱落することはなく、再利用シート部を被収納物を保管する補助具として使用することができる。
【００１６】
さらに、粘着部に例えばアクリル系、ウレタン系などの再剥離性を有する接着剤を用いることにより、被収納物を何度も貼ったり剥がしたり、繰り返して使用することができる。
【図面の簡単な説明】
【００１７】
【図１】本発明の第１実施形態に係る商品包装袋に商品を収納した状態の（ａ）正面側の斜視図および（ｂ）裏面側の斜視図。
【図２】上記第１実施形態の商品包装袋の（ａ）正面図，（ｂ）背面図および（ｃ）Ａ−Ａ線断面図。
【図３】上記第１実施形態の商品包装袋の使用手順の一例を示す模式図。
【図４】上記第１実施形態の商品包装袋の変形例を示す斜視図。
【図５】本発明の第２実施形態に係る商品包装袋の（ａ）正面図，（ｂ）背面図および（ｃ）Ｂ−Ｂ線断面図。
【図６】上記第２実施形態の商品包装袋の使用手順の一例を示す模式図。
【図７】本発明の第３実施形態に係る商品包装袋の（ａ）正面図，（ｂ）背面図および（ｃ）Ｃ−Ｃ線断面図。
【発明を実施するための形態】
【００１８】
次に、本発明の実施形態について図面を参照しながら説明するが、本発明はこれに限定されるものではない。
【００１９】
図１に示すように、本発明の第１実施形態に係る商品包装袋１Ａは、シート状の被収納物Ｐを収納する袋本体２Ａと、例えばインデックスラベルなどのシート状の被収納物Ｐを袋本体２Ａへと挿入可能な開口部３と、開口部３を封緘する封緘部４とを備えている。
【００２０】
この実施形態において、被収納物Ｐは、矩形状の剥離シートの上に、所定の間隔でインデックスラベルを配置したものからなるが、これ以外に、例えば、マスキングシールやキャラクターシール、付箋などであってもよく、袋本体２Ａ内に封入可能なシート状のものであれば、仕様に応じて任意に選択されてよい。
【００２１】
図２を併せて参照して、袋本体２Ａは、透明な樹脂製の表側フィルム２Ａａと裏側フィルム２Ａｂとを有し、被収納物Ｐが封入される開口部３を残した３辺が封鎖されている。なお、ここでは、説明の便宜上、開口部３が設けられる１辺を下辺として，その対向する１辺を上辺２１，上辺２１と下辺とを結ぶ２辺を側辺２２，２３という。
【００２２】
また、表側フィルム２Ａａの下辺（開口部３側）は、裏側フィルム２Ａｂ側へと折り畳まれて開口部３を封緘する封緘部４が延設されており、この例で、封緘部４は後述する粘着部５を介して裏側フィルム２Ａｂへと着脱自在に貼着されるようになっている。
【００２３】
この実施形態において、袋本体２Ａは、予めスリーブ状に形成された樹脂フィルムを用いてその上辺２１側の端部をヒートシールすることで袋状に形成されているが、２枚の樹脂フィルムを用いて開口部３を除く３辺（上辺および両側辺）２１，２２，２３を封鎖したものであってもよく、開口部３が形成された袋状であればよい。
【００２４】
袋本体２Ａの上辺２１側には、商品名や型番、バーコードなどの商品情報が印刷される商品説明部２４が設けられている。商品説明部２４の上部中央には、商品包装袋１Ａを吊り下げるための、吊り下げ孔２４１が設けられている。
【００２５】
この実施形態において、商品説明部２４には厚手の台紙シート２４２が封入されている。この例では、台紙シート２４２の上端側を袋本体２Ａの上辺２１に突き当たるように位置させ、台紙シート２４２の下端側をヒートシールすることにより、袋本体２Ａ内に被収納物Ｐが収納されるスペースを確保しつつ、商品説明部２４が袋本体２Ａの上辺２１側に独立するように設けている。
【００２６】
粘着部５は、裏側フィルム２Ａｂに設けられており、この例では、粘着部５を介して封緘部４が開口部３を塞ぐことができる位置、すなわち、裏側フィルム２Ａｂの開口部３側から封緘部４の長さよりも短い位置に裏側フィルム２Ａの幅方向に沿って直線状に設けられている。
【００２７】
なお、この実施形態において、粘着部５は１本の直線状に形成されているが、例えば複数本であってもよいし、波形やドット状であってもよく、粘着部５の形態は仕様に応じて任意に選択されて良い。
【００２８】
粘着部５は、袋本体２Ａの一部を再利用シート部２Ａ’として再利用するため、再剥離性を有する粘着剤が用いられている。この実施形態において、再剥離性を有する粘着剤としては、例えばアクリル系、ウレタン系などの粘着剤が好適に用いられる。
【００２９】
袋本体２Ａにはさらに、袋本体２Ａの一部を再利用シート部２Ａ’として再利用するため、袋本体２Ａの切り離し位置を示す切取り部２５が設けられている。切取り部２５は、裏側フィルム２Ａｂの幅方向に沿って形成された第１切取り線２５ａと、袋本体２Ａの下端（開口部３）側から両側辺２２，２３に沿って第１切取り線２５ａまで形成された第２切取り線２５ｂ，２５ｂとからなる。
【００３０】
第１切取り線２５ａは、例えば、粘着部５から１０ｍｍほど上方（袋本体２Ａの上辺２１側）に位置するように設けられたミシン目からなり、袋本体２Ａの裏側フィルム２Ａｂにのみ設けられている。また、第２切取り線２５ｂ，２５ｂは、袋本体２Ａの開口部３側から第１切取り線２５ａに向かって形成されたミシン目からなる。
【００３１】
なお、この実施形態において、袋本体２Ａの切り離し位置を示す切取り部２５は、ミシン目からなるが、切断する箇所を指示する直線あるいは破線などを印刷などにより施してもよく、このような態様も本発明に含まれる。
【００３２】
裏側フィルム２Ａｂにはさらに、切り離された再利用シート部２Ａ’を図示しないリングファイルに取り付けるためのリング孔２６が設けられている。リング孔２６は、開口部３と粘着部５と間に位置するように設けられており、この例では２穴リングファイル用として所定の間隔をもって２箇所設けられている。
【００３３】
この商品収納袋１Ａから再利用シート部２Ａ’を切り離すには、まず、封緘部４を粘着部３から剥がしとり、開口部３を開いて商品を取り出す。次に、開口部３から第２切取り線２５ｂ，２５ｂに沿って袋本体２Ａを切断したのち、第２切取り線２５ｂ，２５ｂの終端側から第１切取り線２５ａに沿って袋本体２Ａ切断する。
【００３４】
これにより、再利用シート部２Ａ’が裏側フィルム２Ａｂから切り離される。再利用シート部２Ａ’を使用するに当たっては、図３に示すように、再利用シート部２Ａ’のリング孔２６，２６を図示しないファイル式リングのリングＲに通してファイル式リングに取り付ける。
【００３５】
そして、粘着部５を介して被収納物Ｐを貼り付けることで、当初は、封緘部４の封止部材とされていた粘着部５を、被収納物６を保持する補助部材として再利用し、被収納物Ｐをリング式ファイルに保持させることができる。
【００３６】
なお、粘着部５を構成する粘着剤を、何度も貼って剥がせる、例えばアクリル系、ウレタン系などのいわゆる再剥離性を備えた接着剤とすれば、被収納物Ｐの粘着部５への保持を再利用シート部２Ａ’から何度も着脱することができる。
【００３７】
この実施形態において、リング孔２６は２穴リングファイル用として２箇所設けられているが、図４に示すように、リング孔２６を、例えば２６穴や３０穴などの多穴用のリング式ファイルに適用できるよう多数設けてもよい。
【００３８】
また、この実施形態においては、再利用シート部２Ａ’をリング式ファイルへと取り付けるようにあたって、リング式ファイルのリングＲへと挿通可能なリング孔２６を設けているが、リング孔２６に代えて、例えばリング式ファイルのリングＲに挿通可能となるミシン目などの脆弱処理を施してもよい。このような態様も本発明に含まれる。
【００３９】
次に、図５，６を参照して、本発明の第２実施形態に係る商品包装袋１Ｂについて説明する。なお、上述した第１実施形態と同一もしくは同一と見なされる箇所には同じ参照符号を付してある。
【００４０】
この第２実施形態の商品包装袋１Ｂは、基本的な形態は上述した第１実施形態と同一であるが、リング孔２６の位置と、再利用シート部２Ｂ’の切り離し位置が異なる。すなわち、この第２実施形態において、リング孔２６は、開口部３と粘着部５との間に位置するように、袋本体２Ｂの表側フィルム２Ｂａに配置されている。
【００４１】
また、切取り部２５は、袋本体２Ｂをその幅方向に沿って上下に切り離すための第１切取り線２５ａと、表側フィルム２Ｂａから封緘部４を切り離すための第３切取り線２５ｃと、表側フィルム２Ｂａのほぼ中央からその長さ方向に沿って左右に切り離す第４切取り線２５ｄとを備えている。
【００４２】
第１切取り線２５ａは、袋本体２Ｂ全体を上下２つに分割するように切り離すため、表側フィルム２Ｂａと裏側フィルム２Ｂｂの両フィルムにわたって連続して設けられている。
【００４３】
この第２実施形態における商品包装袋１Ｂの使用例を説明すると、まず、第１切取り線２５ａに沿って袋本体２Ｂの一部を切断する。次に、第３切取り線２５ｃに沿って表側フィルム２Ｂａから封緘部４を切り離したのち、第４切取り線２５ｄに沿って表側フィルム２Ｂａのシートを切断する。
【００４４】
そして、第４切取り線２５ｄによって切断された表側フィルム２Ｂａの一部を左右に展開することにより、図６に示すように、切り離される前は、封緘部５の貼着部材として利用されていた粘着部５を被収納物Ｐを保持する補助部材とする再利用シート部２Ｂ’が形成される。
【００４５】
この再利用シート部２Ｂ’の展開された部分にリング孔２６，２６を形成することにより、例えば、図６に示すように、袋本体２Ｂの幅が２穴リングファイルのリング間隔よりも狭い場合などにおいて有効である。このような態様も本発明に含まれる。
【００４６】
上述した第１および第２実施形態において、再利用シート部２Ａ’（２Ｂ’）はともに袋本体２Ａ（２Ｂ）側に設けられているが、封緘部４側に設けられていても良い。すなわち、第３実施形態に係る商品包装袋１Ｃは、封緘部４側を再利用シート部２Ｃ’としている。
【００４７】
図７に示すように、この商品包装袋１Ｃは、基本的な形態は上述した第１および第２実施形態と同一であるが、粘着部５とリング孔２６とが封緘部４側に設けられている。また、袋本体２Ｃと封緘部４との間には封緘部４を切り離すための切取り部２５（第３切取り線２５ｃ）が設けられている。
【００４８】
この第３実施形態において、粘着部５は、封緘部４の自由端側に配置されており、第３切取り線２５ｃと粘着部５との間にリング孔２６が設けられている。これによれば、封緘部４を第３切取り線２５ｃに沿って表側フィルム２Ｃａから切り離すことにより、封緘部４を再利用シート部２Ｃ’としてファイルに取り付けて商品Ｐを保持することができる。このような態様も本発明に含まれる。
【００４９】
本発明によれば、商品包装袋１Ａ〜１Ｃの一部に再利用シート部２Ａ’〜２Ｃ’を含ませることで、被収納物Ｐをリングファイルへと保持する補助具として再利用することができる。
【００５０】
また、本発明において、再利用シート部２Ａ’〜２Ｃ’は、商品包装袋１Ａの構成部材のみを利用し、商品包装袋１Ａの一部を単に切り離すことで簡単に利用することできるため、商品にコスト転嫁されることもなく、最近のリユースの風潮にも合致するものとなる。
【符号の説明】
【００５１】
１Ａ〜１Ｃ  商品包装袋
２Ａ〜２Ｃ  袋本体
２Ａａ〜２Ｃａ  表側フィルム
２Ａｂ〜２Ｃｂ  裏側フィルム
２Ａ’〜２Ｃ’  再利用シート部
２１  上辺
２２，２３  側辺
２４  商品表示部
２５  切取り部
２５ａ  第１切取り線
２５ｂ  第２切取り線
２５ｃ  第３切取り線
２５ｄ  第４切取り線
２６  リング孔
３  開口部
４  封緘部
５  粘着部
Ｐ  被収納物
【図１】
2015151145.tif 000003
【図２】
2015151145.tif 000004
【図３】
2015151145.tif 000005
【図４】
2015151145.tif 000006
【図５】
2015151145.tif 000007
【図６】
2015151145.tif 000008
【図７】
2015151145.tif 000009